(57)【要約】ラマンプローブ（１）は、直列に配列され互いに異なる材質からなる第１の照明ファイバ（６１）および第２の照明ファイバ（６２）と、第１および第２の照明ファイバ（６１，６２）を光学的に結合する結合光学系（８）と、第２の照明ファイバ（６２）と同一の材質からなり観察対象からのラマン散乱光を集める集光ファイバ（７）と、第１および第２の照明ファイバ（６１，６２）の間に配置され、第１の照明ファイバ（６１）を導光するレーザ光と、該レーザ光によって励起される第１の照明ファイバ（６１）のラマン散乱光の内、ラマンシフト量が観察対象のラマンスペクトルの所定のラマンシフト量よりも小さいラマン散乱光とを選択的に透過させる光学フィルタ（９）とを備える。
2018116363.tif 000002
【特許請求の範囲】
【請求項１】
レーザ光源からのレーザ光を導光して観察対象に向けて射出するとともに前記レーザ光によって励起された前記観察対象のラマン散乱光を受光するラマンプローブであって、
前記レーザ光源から入射された前記レーザ光を導光する第１の照明ファイバと、
該第１の照明ファイバと直列に配列され、前記レーザ光を含む前記第１の照明ファイバから射出された光を導光し前記観察対象に向けて射出する第２の照明ファイバと、
前記第１の照明ファイバと前記第２の照明ファイバとを光学的に結合する結合光学系と、
前記第１の照明ファイバと前記第２の照明ファイバとの間に配置され、前記第１の照明ファイバから射出された光のうち、前記レーザ光を含む所定の波長以下の波長を有する光を透過させ、前記所定の波長よりも長い波長を有する光を遮断する光学フィルタと、
前記観察対象のラマン散乱光を含む前記観察対象からの光を集める集光ファイバとを備え、
前記第１の照明ファイバおよび前記第２の照明ファイバが、互いに異なる材質からなり、
前記第２の照明ファイバおよび前記集光ファイバが、互いに同一の材質からなり、
前記光学フィルタは、前記レーザ光によって励起される前記第１の照明ファイバのラマン散乱光の内、ラマンシフト量が前記観察対象のラマンスペクトルの所定のラマンシフト量よりも小さいラマン散乱光を透過させるラマンプローブ。
【請求項２】
前記光学フィルタは、前記第１の照明ファイバのラマン散乱光の内、ラマンシフト量が７００ｃｍ−１以下であるラマン散乱光を透過させ、ラマンシフト量が８００ｃｍ−１以上であるラマン散乱光を遮断する請求項１に記載のラマンプローブ。
【請求項３】
前記第１の照明ファイバの材質が、フッ化プラスチックであり、
前記第２の照明ファイバおよび前記集光ファイバの材質が、シリカである請求項１または請求項２に記載のラマンプローブ。
【請求項４】
前記第１の照明ファイバの材質が、アクリル樹脂であり、
前記第２の照明ファイバおよび前記集光ファイバの材質が、シリカである請求項１または請求項２に記載のラマンプローブ。
【請求項５】
前記第１の照明ファイバの材質が、単結晶サファイアであり、
前記第２の照明ファイバおよび前記集光ファイバの材質が、シリカである請求項１または請求項２に記載のラマンプローブ。
【請求項６】
請求項１から請求項５のいずれかに記載のラマンプローブと、
前記第１の照明ファイバに前記レーザ光を供給するレーザ光源と、
前記集光ファイバによって集められた光を検出して、前記観察対象のラマンスペクトルを含む観測スペクトルのデータを取得する検出部と、
前記第２の照明ファイバから射出された光の反射光を前記集光ファイバによって集めて前記検出部によって検出することで取得された前記ラマンプローブの反射スペクトルを記憶する記憶部と、
前記光学フィルタを透過した前記第１の照明ファイバのラマン散乱光のバンドの強度が所定の閾値以下となるように、前記観測スペクトルから前記反射スペクトルを引き算する演算部とを備えるラマンスペクトル測定装置。
【発明の詳細な説明】
【技術分野】
【０００１】
本発明は、ラマンプローブおよびラマンスペクトル測定装置に関するものである。
【背景技術】
【０００２】
従来、生体組織のような観察対象のラマンスペクトルの測定において、レーザ光の照射用およびラマン散乱光の受光用に光ファイバが使用されている。光ファイバを構成するシリカ等の構成材も、光ファイバを導光するレーザ光によってラマン散乱光を発生させるため、光ファイバを使用して取得された観測スペクトルには、光ファイバのラマンスペクトルも雑音として含まれる。さらに、観測スペクトルには、レイリー散乱光や自家蛍光等の、観察対象のラマン散乱光以外の光に由来する背景光信号が雑音として含まれる。そこで、観測スペクトルに含まれる雑音を低減する方法が提案されている（例えば、特許文献１および２、ならびに非特許文献１参照。）。【０００３】
特許文献１，２には、照射用の光ファイバの先端に、光ファイバが発生するラマン散乱光をカットし、レーザ光のみを透過させる光学フィルタを設け、受光用の光ファイバの先端に、生体組織のラマン散乱光を透過させ、レーザ光の反射光をカットする光学フィルタを設けたラマンプローブが開示されている。このような構成によれば、光ファイバのラマンスペクトルが除去された、信号雑音比の高い観察対象のラマンスペクトルを取得することができる。【０００４】
非特許文献１には、観測スペクトルに含まれる背景光のスペクトル波形を３次から７次の高次多項式でフィッティングし、フィッティング波形を観測スペクトルから引き算することによって、観測スペクトルに含まれる背景光信号を除去する方法が開示されている。
【先行技術文献】
【特許文献】
【０００５】
【特許文献１】米国特許第７６４７０９２号明細書
【特許文献２】米国特許第７１８４１４２号明細書
【非特許文献】
【０００６】
【非特許文献１】Chad  A.  Lieber、外１名、“Automated  method  for  subtraction  of  fluorescence  from  biological  Raman  spectra.”、Applied  Spectroscopy、2003年11月、Vol.  57、Issue  11、pp.1363−1367
【発明の概要】
【発明が解決しようとする課題】
【０００７】
しかしながら、特許文献１，２においては、直径２ｍｍ程度の細径のプローブの先端に小型の光学フィルタを配置する必要があり、構造が複雑になるとともにコストが高くなるという問題がある。
非特許文献１の方法によれば、生体組織のような観察対象や光ファイバのラマン散乱に比して強度の波長依存性が大幅に小さくブロードな、レイリー散乱光や自家蛍光等に由来する背景光信号の除去は可能であるが、光ファイバのラマンスペクトルを除去することは困難である。さらに、光ファイバのラマンスペクトルを観測スペクトルから信号処理で除去するためには、非特許文献１に記載される背景光信号のスペクトルを観測スペクトルから引算するための引算係数の最適化に加えて、光ファイバのラマンスペクトルについても、観測スペクトルから引算するための引算係数の最適化計算を繰り返して実行する必要がある。そのため、計算量が多くなり、リアルタイム測定には不向きである。また、高速で処理するためには、計算能力の高い特別な計算機が必要となるという問題がある。【０００８】
本発明は、上述した事情に鑑みてなされたものであって、簡易な構成でありながら、少ない計算量で信号雑音比の高い観察対象のラマンスペクトルの取得を可能とするラマンプローブおよびこれを備えるラマンスペクトル測定装置を提供することを目的とする。
【課題を解決するための手段】
【０００９】
上記目的を達成するため、本発明は以下の手段を提供する。
本発明の一態様は、レーザ光源からのレーザ光を導光して観察対象に向けて射出するとともに前記レーザ光によって励起された前記観察対象のラマン散乱光を受光するラマンプローブであって、前記レーザ光源から入射された前記レーザ光を導光する第１の照明ファイバと、該第１の照明ファイバと直列に配列され、前記レーザ光を含む前記第１の照明ファイバから射出された光を導光し前記観察対象に向けて射出する第２の照明ファイバと、前記第１の照明ファイバと前記第２の照明ファイバとを光学的に結合する結合光学系と、前記第１の照明ファイバと前記第２の照明ファイバとの間に配置され、前記第１の照明ファイバから射出された光のうち、前記レーザ光を含む所定の波長以下の波長を有する光を透過させ、前記所定の波長よりも長い波長を有する光を遮断する光学フィルタと、前記観察対象のラマン散乱光を含む前記観察対象からの光を集める集光ファイバとを備え、前記第１の照明ファイバおよび前記第２の照明ファイバが、互いに異なる材質からなり、前記第２の照明ファイバおよび前記集光ファイバが、互いに同一の材質からなり、前記光学フィルタは、前記レーザ光によって励起される前記第１の照明ファイバのラマン散乱光の内、そのラマンシフト量が、前記観察対象のラマンスペクトルの所定のラマンシフト量よりも小さいラマン散乱光を透過させるラマンプローブである。【００１０】
本態様によれば、第１の照明ファイバに入射したレーザ光は、結合光学系を介して第２の照明ファイバに入射し、該第２の照明ファイバから観察対象に照射され、レーザ光によって励起された観察対象のラマン散乱光が集光ファイバによって集められる。したがって、集光ファイバによって集められた光を分光することによって、観察対象のラマンスペクトルを含む観測スペクトルが得られる。このときに、各ファイバを導光するレーザ光によって第１および第２の照明ファイバならびに集光ファイバのラマン散乱光が励起されるので、観測スペクトルには、第１および第２の照明ファイバならびに集光ファイバのラマンスペクトルも含まれる。【００１１】
この場合に、第１の照明ファイバのラマン散乱光の内、観察対象のラマンスペクトルの所定のラマンシフト量よりも小さいラマンシフト量を有するラマン散乱光が、光学フィルタによって選択される。したがって、集光ファイバによって集められた光の観測スペクトルにおいて、観察対象由来のラマンバンドとは異なるラマンシフト領域に、第１の照明ファイバ由来のラマンバンドの強度が現れる。この第１の照明ファイバ由来のラマンバンドの強度を参照することによって、第１および第２の照明ファイバならびに集光ファイバ由来の既知のラマンスペクトルを、観測スペクトルから簡便なアルゴリズムに基づいて少ない計算量で精度良く除去することができ、信号雑音比の高い観察対象のラマンスペクトルを取得することができる。【００１２】
上記態様においては、前記光学フィルタは、前記第１の照明ファイバのラマン散乱光の内、ラマンシフト量が７００ｃｍ−１以下であるラマン散乱光を透過させ、ラマンシフト量が８００ｃｍ−１以上であるラマン散乱光を遮断してもよい。
このようにすることで、光学フィルタを透過した第１の照明ファイバのラマン散乱光は、観測スペクトルにおいて７００ｃｍ−１以下のラマンシフト領域に現れる。生体組織のラマンスペクトルにおいて、タンパク質のアミノ酸側鎖や主鎖、脂質および核酸に由来するラマンバンドの多くは８００ｃｍ−１よりも大きいラマンシフト量を有するので、観測スペクトルにおいて、生体組織由来のラマンバンドに第１の照明ファイバ由来のラマンバンドが重畳することが防止される。これにより、生体組織のラマンスペクトルの取得に好適な構成とすることができる。【００１３】
上記態様においては、前記第１の照明ファイバの材質が、フッ化プラスチック、アクリル樹脂、または単結晶サファイアであり、前記第２の照明ファイバおよび前記集光ファイバの材質が、シリカであってもよい。
フッ化プラスチック、アクリル樹脂（ポリメタクリル酸メチル基：ＰＭＭＡ）、および単結晶サファイアのラマンスペクトルと、シリカのラマンスペクトルとの間には、互いにラマンバンドが重畳しないラマンシフト領域が存在する。したがって、フッ化プラスチック、ＰＭＭＡまたは単結晶サファイアのラマン散乱光を参照することで、各ファイバのラマンスペクトルを精度良く除去し、観察対象のラマンスペクトルを精度良く算出することができる。また、使用時に観察対象に近接して配置される第２の照明ファイバおよび集光ファイバとして一般的なシリカ製の光ファイバを採用することで、低コスト化することができる。【００１４】
本発明の他の態様は、上記いずれかに記載のラマンプローブと、前記第１の照明ファイバに前記レーザ光を供給するレーザ光源と、前記集光ファイバによって集められた光を検出して、前記観察対象のラマンスペクトルを含む観測スペクトルのデータを取得する検出部と、前記第２の照明ファイバから射出された光の反射光を前記集光ファイバによって集めて前記検出部によって検出することによって取得された前記ラマンプローブの反射スペクトルを記憶する記憶部と、前記光学フィルタを透過した前記第１の照明ファイバのラマン散乱光のバンドの強度が所定の閾値以下となるように、前記観測スペクトルから前記反射スペクトルを引き算する演算部とを備えるラマンスペクトル測定装置である。
【発明の効果】
【００１５】
本発明によれば、簡易な構成でありながら、少ない計算量で信号雑音比の高い観察対象のラマンスペクトルを取得することができるという効果を奏する。
【図面の簡単な説明】
【００１６】
【図１】本発明の一実施形態に係るラマンプローブおよびラマンスペクトル測定装置の全体構成図である。
【図２】第１の照明ファイバから射出される光のスペクトルを模式的に示す図である。
【図３】光学フィルタの分光透過特性を模式的に示す図である。
【図４】第２の照明ファイバに入射する光のスペクトルを模式的に示す図である。
【図５】第２の照明ファイバから射出される光のスペクトルを模式的に示す図である。
【図６】第１の照明ファイバがフッ化プラスチックを構成材とする光ファイバのときに、第１の照明ファイバから射出される光のスペクトルの一例を示す図である。
【図７】第１の照明ファイバがフッ化プラスチックを構成材とする光ファイバのときに、第２の照明ファイバに入射する光のスペクトルの一例を示す図である。
【図８】第１の照明ファイバがフッ化プラスチックを構成材とする光ファイバのときに、第２の照明ファイバから射出される光のスペクトルの一例を示す図である。
【図９】第１の照明ファイバがフッ化プラスチックを構成材とする光ファイバのときに、集光ファイバから射出され光検出器によって検出される観測スペクトルの一例を示す図である。
【図１０】第１の照明ファイバがフッ化プラスチックを構成材とする光ファイバのときに、ラマンプローブのラマン散乱光の反射スペクトルの一例を示す図である。
【図１１】第１の照明ファイバがフッ化プラスチックを構成材とする光ファイバのときに、観測スペクトルから反射スペクトルを引き算して得られた差分スペクトルの一例を示す図である。
【図１２】第１の照明ファイバがフッ化プラスチックを構成材とする光ファイバのときに、図１１に示される係数Ａ＝０．５であるときの差分スペクトルを拡大した図である。
【図１３】差分スペクトル（実線）の多項式フィッティング波形（点線）を示す図である。
【図１４】観察対象が生体組織（結合組織）であるときに、差分スペクトルから多項式フィッティング波形を引き算して得られた観察対象のラマンスペクトルを示す図である。
【図１５】図１のラマンスペクトル測定装置による観測スペクトルの解析方法を説明するフローチャートである。
【発明を実施するための形態】
【００１７】
以下に、本発明の一実施形態に係るラマンプローブ１およびこれを備えるラマンスペクトル測定装置１００について図面を参照して説明する。
本実施形態に係るラマンスペクトル測定装置１００は、レーザ光源２と、観察対象Ｓにレーザ光を照射し観察対象Ｓからの光を受光するラマンプローブ１と、ラマンプローブ１によって受光された光を分光する分光器（検出部）３と、ラマンプローブ１と分光器３との間に配置された結合光学系４と、分光器３によって分光された光を検出して観測スペクトルのデータを取得する光検出器（検出部）５とを備えている。
【００１８】
レーザ光源２は、例えば、近赤外のレーザ光を出力する半導体レーザ光源である。
ラマンプローブ１は、基端側から順に直列に配列された第１の照明ファイバ６１および第２の照明ファイバ６２と、該照明ファイバ６１，６２と並列に配置された集光ファイバ７と、第１の照明ファイバ６１と第２の照明ファイバ６２との間に配置された結合光学系８および光学フィルタ９とを備えている。
【００１９】
第１の照明ファイバ６１の基端はレーザ光源２に接続され、第１の照明ファイバ６１の先端は、結合光学系８を介して第２の照明ファイバ６２の基端に光学的に結合されている。第２の照明ファイバ６２および集光ファイバ７は先端側において１本に束ねられ、ラマンプローブ１の先端部のプローブヘッド１ａ内に第２の照明ファイバ６２の先端部および集光ファイバ７の先端部が収容されている。第２の照明ファイバ６２および集光ファイバ７は、長手方向の途中位置において互いに分岐し、集光ファイバ７の基端は結合光学系４を介して分光器３と光学的に結合されている。
【００２０】
レーザ光源２から第１の照明ファイバ６１に入射したレーザ光は、第１の照明ファイバ６１、結合光学系８および第２の照明ファイバ６２を導光し、プローブヘッド１ａから観察対象Ｓに向けて射出されるようになっている。また、レーザ光の照射によって観察対象Ｓにおいて励起されたラマン散乱光は、集光ファイバ７によって集められ、該集光ファイバ７および結合光学系４を導光し、分光器３に入射するようになっている。
【００２１】
第１の照明ファイバ６１と第２の照明ファイバ６２は、互いに異なる材質から形成され、第２の照明ファイバ６２と集光ファイバ７は、互いに同一の材質から形成されている。第１の照明ファイバ６１の材質は、観察対象Ｓの組成に応じて選択される。具体的には、レーザ光によって励起される第１の照明ファイバ６１のラマン散乱光の内の少なくとも一部が、レーザ光Ｌによって励起される観察対象Ｓのラマン散乱光における所定のラマンシフト量よりも小さいラマンシフト量を有するように、第１の照明ファイバ６１の材質が選択される。
【００２２】
観察対象Ｓが生体組織である場合には、上記所定のラマンシフト量は次のように設定される。すなわち、生体組織中のコラーゲンなどのタンパク質や、糖質、脂質および核酸などの生体成分に由来するラマンバンドは、８００ｃｍ−１から１８００ｃｍ−１に多く存在するので、所定のラマンシフト量としてはその下限値である８００ｃｍ−１のラマンシフト値を設定する。したがって、第１の照明ファイバ６１の材質としては、上記生体組織の成分のラマンバンドが見られる８００ｃｍ−１よりも小さいラマンシフト量のラマン散乱を発生する材質が選択される。このような材質は、フッ化プラスチック(全フッ素プラスチック)、アクリル樹脂（ポリメタクリル酸メチル樹脂：ＰＭＭＡ）、または単結晶サファイアである。
【００２３】
第２の照明ファイバ６２および集光ファイバ７の材質は、そのラマンスペクトルが第１の照明ファイバ６１のラマンスペクトルと重畳しない材質が好ましい。このような第２の照明ファイバ６２と集光ファイバ７の材質は、水酸基含有量が少ないシリカであることが好ましい。
【００２４】
結合光学系８は、第１の照明ファイバ６１の先端から発散光束として射出される光を平行光束に変換するレンズ８ａと、該レンズ８ａによって形成された平行光束を第２の照明ファイバ６２の基端に集光させるレンズ８ｂとの組み合わせからなるコリメート光学系である。
光学フィルタ９は、所定の波長以下の波長を有する光を選択的に透過させる誘電体多層膜フィルタである。光学フィルタ９は、好ましくは、第１の照明ファイバ６１から射出される光が平行光束となるレンズ８ａ，８ｂの間に配置される。
【００２５】
第２の照明ファイバ６２と結合光学系８との間、および、集光ファイバ７と結合光学系４との間には、着脱部１０がそれぞれ設けられている。着脱部１０の着脱によって第２の照明ファイバ６２および集光ファイバ７は交換可能になっている。着脱部１０はＦＣコネクタまたはＳＭＡコネクタを有しており、第２の照明ファイバ６２および集光ファイバ７の端面に設けられたＦＣコネクタまたはＳＭＡコネクタにより着脱できる。このようにすることで、ラマンプローブ１において、フッ化プラスチックやアクリル樹脂、あるいは単結晶サファイア等の特殊な材質で構成される第１の照明ファイバ６１は非交換とし、比較的安価な材質で構成される第２の照明ファイバ６２および集光ファイバ７を交換可能にできる。
【００２６】
ここで、ラマンプローブ１の光路の各位置における光の成分について説明する。
第１の照明ファイバ６１の先端から射出された光には、図２に示されるように、レーザ光源２から入射したレーザ光Ｌと、第１の照明ファイバ６１を導光するレーザ光Ｌによって励起された、第１の照明ファイバ６１の構成材のラマン散乱光Ｒ１とが含まれる。単色のレーザ光Ｌは狭帯域の光であり、ラマン散乱光Ｒ１は広帯域の光である。
【００２７】
光学フィルタ９は、図３に示されるような分光透過率特性を有する短波長透過フィルタであり、ラマン散乱光Ｒ１のうち、ラマンシフト量が８００ｃｍ−１以上のラマン散乱光を遮光し、ラマンシフト量が７００ｃｍ−１以下のラマン散乱光を透過させると共に、レーザ光Ｌを透過させるようになっている。このように光学フィルタ９は、レーザ光Ｌと、該レーザ光Ｌよりも長波長側に発生するラマン散乱光Ｒ１の内、ラマンシフト量が７００ｃｍ−１以下の短波長側の一部のラマン散乱光Ｒ１’とを選択的に透過させる。したがって、図４に示されるように、一部のラマン散乱光Ｒ１’も、レーザ光Ｌと一緒に第２の照明ファイバ６２に入射する。
【００２８】
第２の照明ファイバ６２の先端から観察対象Ｓに向けて射出される光には、図５に示されるように、第２の照明ファイバ６２の基端に入射した光Ｌ，Ｒ１’に加えて、第２の照明ファイバ６２を導光するレーザ光Ｌによって励起された、第２の照明ファイバ６２の構成材のラマン散乱光Ｒ２が含まれる。
【００２９】
第２の照明ファイバ６２から観察対象Ｓに照射されたレーザ光Ｌのうち、一部は、観察対象Ｓの表面において反射または拡散反射され、他の一部は、観察対象Ｓを伝播して観察対象Ｓの構成成分のラマン散乱光Ｒｏｂｊを励起する。さらに、第２の照明ファイバ６２から射出された第１および第２の照明ファイバ６２のラマン散乱光Ｒ１’，Ｒ２の一部も、観察対象Ｓにおいて反射される。集光ファイバ７は、これらの光Ｌ，Ｒｏｂｊ，Ｒ１’，Ｒ２を集光する。集光ファイバ７の基端から射出され分光器３に入射する光には、集光ファイバ７を導光するレーザ光Ｌの反射光によって励起された集光ファイバ７の構成材のラマン散乱光がさらに含まれる。
【００３０】
図６、図７、図８および図９は、図１の位置Ｐ１（第１の照明ファイバ６１の射出位置）、Ｐ２（第２の照明ファイバ６２の入射位置）、Ｐ３（第２の照明ファイバ６２の射出位置）およびＰ４（集光ファイバ７の射出位置）における光のスペクトルをそれぞれ示している。ここで、図６、図７、図８および図９のスペクトルは、第１の照明ファイバ６１としてＣＨ結合を含有しない全フッ素化型のフッ化プラスチック製光ファイバ（例えば、旭硝子社製ＦＯＮＴＥＸファイバ）を使用し、第２の照明ファイバ６２および集光ファイバ７として、水酸基（ＯＨ基）含有割合の低いシリカ製光ファイバを使用して取得されたものであって、レーザ光源２から射出される波長７８５ｎｍのレーザ光の波長に対するラマンシフト値が６５０ｃｍ−１以上１７５０ｃｍ−１以下の範囲を示している。このラマンシフト範囲は、図２において模式的に示す、第１の照明ファイバ６１の構成材のラマン散乱光Ｒ１のスペクトルにおいて、斜線部で示す領域に相当する。
【００３１】
第１の照明ファイバ６１から射出された光のスペクトルは、図６に示されるようになっており、フッ化プラスチック由来のラマンバンドが現れる。この内、図６においてＦＰと記載するラマンバンドのピーク値におけるラマンシフトは６９２ｃｍ−１であるが、このラマンバンドＦＰはフッ化プラスチックの炭素−フッ素（Ｃ−Ｆ）結合に由来するものである。光学フィルタ９は、図３に示されるように、ラマンシフト値が７００ｃｍ−１以下である光を透過させ、ラマンシフトが８００ｃｍ−１以上である光を遮断するようになっている。したがって、第２の照明ファイバ６２に入射する光のスペクトルは、図７に示されるように、フッ化プラスチック由来のラマンバンドＦＰを含み、かつ、フッ化プラスチック由来のラマンバンドの内、ラマンシフトが８００ｃｍ−１以上のラマンバンドは含まない。
【００３２】
第２の照明ファイバ６２から射出される光のスペクトルには、図８に示されるように、光学フィルタ９を透過したフッ化プラスチックのＣ−Ｆ結合由来のラマンバンドＦＰと、第２の照明ファイバ６２の構成材であるシリカ由来のラマンバンドＳｉが含まれている。図９は、観察対象が生体組織（結合組織）である場合に、集光ファイバ７の基端から射出される光のスペクトルであって、ファイバ構成材のラマンスペクトルの他に観察対象Ｓの構成成分であるコラーゲンなど生体分子に由来するラマンバンドＯｂｊがさらに加わる。このように、分光器３に入射する光のスペクトルは、フッ化プラスチック、シリカおよび観察対象のラマンスペクトルが重畳されたものとなる。また、ラマンスペクトルの他に、レーザ光Ｌのレイリー散乱光や観察対象Ｓの自家蛍光等の背景光に由来する背景光信号も加わるため、分光器３に入射する光のスペクトルは、図９のスペクトルに示されるように、ラマンシフトの小さい短波長側に向かって緩やかに強度上昇するベースラインを有する。
【００３３】
結合光学系４は、例えば、結合光学系８と同様に、一対のレンズ４ａ，４ｂからなるコリメート光学系であり、集光ファイバ７の基端から射出された光を集めて分光器３の入口スリットの位置に結像する。レンズ４ａ，４ｂの間には、レーザ光Ｌの反射光を遮断し、その他を光を透過させる光学フィルタ１５が配置されている。
分光器３は、結合光学系４を介して集光ファイバ７から入射した光を波長毎に空間的に分離し、得られたスペクトルを光検出器５の受光面上に再結像する。
【００３４】
光検出器５は、例えば、ＣＣＤ素子のような光電変換素子が２次元的に配列する撮像素子を備えるカメラであり、分光器３に取り付けられている。光検出器５は、分光器３から受光面に入射した光を光電変換素子によって電気信号へ変換して観測スペクトルのデータを取得する。このときに取得される観測スペクトルは、前述したように、互いに重畳された観察対象Ｓおよび第１の照明ファイバ６１、第２の照明ファイバ６２、集光ファイバ７のラマンスペクトルと、レイリー散乱や自家蛍光等の背景光のスペクトルとを含む。
【００３５】
ラマンスペクトル測定装置１００は、図１に示されるように、制御部１１、記憶部１２、演算部１３および表示部１４をさらに備えている。
制御部１１は、レーザ光源２からのレーザ光の出力強度および出力タイミングを制御することによって、観察対象Ｓへのレーザ光の照射強度および照射タイミングを制御する。また、制御部１１は、分光器３の中心波長、光検出器５による光の検出条件（例えば、露光時間およびゲイン）を制御する。
【００３６】
記憶部１２は、ラマンプローブ１の反射スペクトルのデータを記憶している。反射スペクトルのデータは、プローブヘッド１ａから射出された光を金属板や生体組織のラマン散乱に比して十分小さいラマン散乱のみを発生する低ラマン散乱体などの物体へ照射し、物体からの反射光を集光ファイバ７によって集光し、集光された光を分光器３によって分光して光検出器５で検出することによって取得されたものであって、第１の照明ファイバ６１、第２の照明ファイバ６２および集光ファイバ７のラマンスペクトルのデータのみを含む。反射スペクトルのデータは、予め記憶部１２に記憶されていてもよく、観測スペクトルの取得の前に取得して記憶部１２に記憶されてもよい。
【００３７】
図１０は、ラマンプローブ１の反射スペクトルＲｅｆ（λ）を示している。図１０の反射スペクトルＲｅｆ（λ）は、図６から図９のスペクトルと同様に、第１の照明ファイバ６１としてフッ化プラスチック製の光ファイバを使用し、第２の照明ファイバ６２および集光ファイバ７としてシリカ製の光ファイバを使用して取得されたものであり、レーザ光の波長に対するラマンシフト値が６５０ｃｍ−１以上１７５０ｃｍ−１以下の範囲を示している。また、記憶部１２は、光検出器５によって取得された観測スペクトルのデータを記憶する。
【００３８】
演算部１３は、記憶部１２に記憶されている観測スペクトルのデータおよびラマンプローブ１の反射スペクトルのデータを使用して、観察対象Ｓのラマンスペクトルを算出する。
具体的には、演算部１３は、下式（１）に基づいて観測スペクトルＯｂｊ（λ）から反射スペクトルＲｅｆ（λ）を引き算して差分スペクトルＳｕｂ（λ）を算出する。式（１）において、Ａは係数である。
Ｓｕｂ（λ）＝Ｏｂｊ（λ）−Ａ×Ｒｅｆ（λ）    ・・・（１）
【００３９】
図１１は、図９の観測スペクトルＯｂｊ（λ）および図１０の反射スペクトルＲｅｆ（λ）を用いて算出された差分スペクトルＳｕｂ（λ）を示している。図１１に示されるように、係数Ａの値０．５，０．６７，０．７５に応じて、フッ化プラスチック（Ｃ−Ｆ結合）由来のラマンバンドＦＰの強度が変化する。図１２は、Ａ＝０．５であるときの差分スペクトルＳｕｂ（λ）、図１３はＡ＝０．６７であるときの差分スペクトルＳｕｂ（λ）をそれぞれ示している。
【００４０】
次に、演算部１３は、差分スペクトルＳｕｂ（λ）内の第１の照明ファイバ６１由来のラマンバンド（例えば、ラマンシフトが６９２ｃｍ−１であるＣ−Ｆ結合由来のラマンバンドＦＰ）の強度を算出し、算出された強度を所定の閾値と比較する。ここで算出するラマンバンドの強度は、ピーク最大値あるいはバンド面積強度のいずれであってもよい。
【００４１】
ラマンバンドＦＰの強度が所定の閾値よりも大きい場合、演算部１３は、係数Ａの値を変更し、差分スペクトルＳｕｂ（λ）を再び計算する。演算部１３は、ラマンバンドＦＰの強度が所定の閾値以下になるまで、係数Ａの値の変更および差分スペクトルＳｕｂ（λ）の計算を繰り返す。ラマンバンドＦＰの強度がピーク値である場合、所定の閾値は、ラマンバンドＦＰの周辺近傍における観測スペクトルＯｂｊ（λ）の強度と同等の値に設定される。ラマンバンドＦＰの強度が面積強度である場合、観測スペクトルＯｂｊ（λ）のラマンバンドＦＰの強度をＦＰｉｎｔ（Ｏｂｊ（λ））とし、差分スペクトルＳｕｂ（λ）のラマンバンドＦＰの強度をＦＰｉｎｔ（Ｓｕｂ（λ））として、ＦＰｉｎｔ（Ｓｕｂ（λ））／ＦＰｉｎｔ（Ｏｂｊ（λ））が１よりも十分小さくなるＦＰｉｎｔ（Ｓｕｂ（λ））が所定の閾値として設定される。このように上記計算を繰り返した結果、第１の照明ファイバ６１由来のラマンバンドＦＰの強度が、背景光の強度と同等のレベルとなるような差分スペクトルＳｕｂ（λ）が最終的に得られる。すなわち、第１の照明ファイバ６１のラマンスペクトルが除去された差分スペクトルＳｕｂ（λ）が得られる。このときに、第２の照明ファイバ６２および集光ファイバ７のラマンスペクトルも同時に除去されることになる。
【００４２】
ラマンバンドＦＰの強度が所定の閾値以下である場合、演算部１３は次に、図１３の点線波形で示されるように、差分スペクトルＳｕｂ（λ）のベースラインを多項式で最小二乗法によりフィッティングすることで多項式フィッティング波形Ｆｉｔ（λ）を算出する。Ｆｉｔ（λ）の算出には、例えば、非特許文献１（“Automated  method  for  subtraction  of  fluorescence  from  biological  Raman  spectra.”、Applied  Spectroscopy、Vol.  57、Issue  11、pp.1363−1367）に記載される方法が用いられる。差分スペクトルＳｕｂ（λ）への多項式フィッティングを最小二乗法により実行してフィッティングされた多項式をｆ（λ）とし、さらにＳｕｂ（λ）とｆ（λ）との強度比較を波長チャンネル毎に実施して、より強度の小さいＳｕｂ（λ）またはｆ（λ）を選択することで、新規に波形Ｓｕｂｎｅｗ（λ）を作成する。このＳｕｂｎｅｗ（λ）へ最小二乗法による多項式フィッティングを再度施す作業を反復すれば良い。このようにして算出された多項式フィッティング波形Ｆｉｔ（λ）は、近似的に差分スペクトルＳｕｂ（λ）における背景光信号を表している。
【００４３】
次に、演算部１３は、差分スペクトルＳｕｂ（λ）から多項式フィッティング波形Ｆｉｔ（λ）を引き算することによって、図１４に示すラマンスペクトルのように、図９に示す観測スペクトルＯｂｊ（λ）から、第１の照明ファイバ６１、第２の照明ファイバ６２および集光ファイバ７のラマンスペクトルと、レイリー散乱光や自家蛍光による背景光信号とが除去された観察対象Ｓのラマンスペクトルを得ることができる。
【００４４】
図１４に示すラマンスペクトルにおいて記されるラマンバンド群Ｏｂｊは、観察対象Ｓである生体組織（結合組織）の主たるラマンバンドである。例えば、８１５ｃｍ−１近傍にピークを有するラマンバンドはコラーゲンのポリペプチド骨格、８５０ｃｍ−１近傍にピークを有するラマンバンドはコラーゲンのプロリン、９２０ｃｍ−１近傍にピークを有するラマンバンドはコラーゲンのプロリン、１００５ｃｍ−１近傍にピークを有するラマンバンドはタンパク質のフェニルアラニン、１２４０ｃｍ−１および１２６０ｃｍ−１近傍にピークを有するラマンバンドはコラーゲンのポリペプチド骨格、１４５０ｃｍ−１近傍にピークを有するラマンバンドはタンパク質のメチル基およびメチレン基、１６５０ｃｍ−１近傍にピークを有するラマンバンドはコラーゲンのポリペプチド骨格のラマンバンドである。このように、図１４のラマンスペクトルにおいて、観察対象Ｓ以外の成分に由来する信号はほとんど除去されている。得られた観察対象Ｓのラマンスペクトルは、表示部１４に表示される。
【００４５】
次に、このように構成されたラマンプローブ１およびラマンスペクトル測定装置１００の作用について説明する。
レーザ光源２からレーザ光が出力されると、第１の照明ファイバ６１および第２の照明ファイバ６２を導光したレーザ光が観察対象Ｓに照射され、観察対象Ｓにおいてラマン散乱光が励起される。観察対象Ｓのラマン散乱光は、集光ファイバ７によって集められ、分光器３において分光され、光検出器５によって検出される。
【００４６】
このときに、レーザ光が第１の照明ファイバ６１を導光することによって、レーザ光に第１の照明ファイバ６１のラマン散乱光が加わる。そして、第１の照明ファイバ６１のラマン散乱光の内、８００ｃｍ−１以上のラマンシフト値を有するラマン散乱光は光学フィルタ９によって除去され、第１の照明ファイバ６１の一部のラマン散乱光が第２の照明ファイバ６２に入射する。
【００４７】
続いて、レーザ光が第２の照明ファイバ６２を導光することによって、レーザ光には第２の照明ファイバ６２のラマン散乱光がさらに加わる。したがって、観察対象Ｓには、レーザ光と一緒に照明ファイバ６１，６２のラマン散乱光も照射され、観察対象Ｓのラマン散乱光と一緒に照明ファイバ６１，６２のラマン散乱光も集光ファイバ７によって集められる。そして、集光ファイバ７から分光器３に入射する光には、レーザ光の反射光が集光ファイバ７を導光することによって、集光ファイバ７のラマン散乱光がさらに加わる。
【００４８】
したがって、観察対象Ｓのラマンスペクトルに、ファイバ６１，６２，７のラマンスペクトルが重畳した観測スペクトルが光検出器５において取得される。取得された観測スペクトルは、記憶部１２に記憶され、続いて演算部１３において演算処理に供される。
【００４９】
演算部１３において、図１５に示されるように、記憶部１２から反射スペクトルＲｅｆ（λ）および観測スペクトルＯｂｊ（λ）が読み出され（ステップＳ１，Ｓ２）、係数Ａが設定される（ステップＳ３）。次に、観測スペクトルＯｂｊ（λ）から係数Ａを乗じた反射スペクトルＲｅｆ（λ）を引き算することによって、差分スペクトルＳｕｂ（λ）が算出される（ステップＳ４）。そして、差分スペクトルＳｕｂ（λ）に含まれる第１の照明ファイバ６１由来のラマンバンドの強度が閾値以下になるまで（ステップＳ５のＮＯ）、係数Ａの変更（ステップＳ６）および差分スペクトルＳｕｂ（λ）の算出（ステップＳ４）が繰り返される。ステップＳ３〜Ｓ６によって、観測スペクトルＯｂｊ（λ）から第１の照明ファイバ６１、第２の照明ファイバ６２、および集光ファイバ７のラマンスペクトルが除去された差分スペクトルＳｕｂ（λ）が得られる。
【００５０】
次に、差分スペクトルＳｕｂ（λ）の多項式フィッティング波形Ｆｉｔ（λ）が算出され（ステップＳ７）、差分スペクトルＳｕｂ（λ）から多項式フィッティング波形Ｆｉｔ（λ）が引き算される（ステップＳ８）。ステップＳ７，Ｓ８によって、差分スペクトルＳｕｂ（λ）から背景光信号が除去され、観察対象Ｓのラマンスペクトルが得られる。
【００５１】
このように、本実施形態によれば、観測スペクトルから反射スペクトルを引き算する際に、観察対象Ｓ由来のラマンバンドとは異なるラマンシフト領域に現れる第１の照明ファイバ６１由来のラマンバンドの強度を参照することによって、光ファイバ６１，６２，７のラマンスペクトルが観測スペクトルから少ない計算量で精度良く除去される。さらに、得られた差分スペクトルＳｕｂ（λ）から多項式フィッティング波形Ｆｉｔ（λ）を引き算することによって、背景光信号が除去される。これにより、演算部１３として一般的な計算機を使用した場合であっても、観察対象Ｓの信号雑音比の高いラマンスペクトルを高速で取得することができるという利点がある。
【００５２】
また、光学フィルタ９は第１の照明ファイバ６１と第２の照明ファイバ６２との間に配置されるので、第２の照明ファイバ６２の先端に光学フィルタを設ける場合とは異なり、光学フィルタ９を小型化する必要がなく、構造が複雑化することがない。
【００５３】
上述のように、第１の照明ファイバ６１のラマンバンドの強度に基づいて、観測スペクトルから全ての光ファイバ６１，６２，７の構成材に由来するラマンスペクトルを同時に除去することができる理由を以下に説明する。
【００５４】
レーザ光源２から出力されるレーザ光の強度をＩ、第１の照明ファイバ６１の長さをＬ１、第１の照明ファイバ６１の材料の単位長さのラマン散乱断面積をσ１と定義すると、第１の照明ファイバ６１で発生するラマン散乱光の強度はＬ１σ１Ｉと表される。また、第２の照明ファイバ６２の長さをＬ２、第２の照明ファイバ６２の材料の単位長さのラマン散乱断面積をσ２、第１の照明ファイバ６１と第２の照明ファイバ６２との結合効率をβと定義すると、第２の照明ファイバ６２で発生するラマン散乱光の強度はβＬ２σ２Ｉと表される。したがって、プローブヘッド１ａから観察対象Ｓに照射される光のパワーは、Ｉ＋Ｌ１σ１Ｉ＋βＬ２σ２Ｉと表される。
【００５５】
また、観察対象Ｓの表面における光の反射率をα、集光ファイバ７の長さをＬ３、集光ファイバ７による光の回収効率をγ、観察対象Ｓからのラマン散乱光の強度をＳｉｎと定義すると、光検出器５において検出される光の信号強度（観測スペクトル）は、下式（２）で表される。
αγ（Ｌ１σ１Ｉ＋βＬ２σ２Ｉ）＋αγＬ３σ２Ｉ＋Ｓｉｎ
＝αγＬ１σ１Ｉ＋αβγＬ２σ２Ｉ＋αγＬ３σ２Ｉ＋Ｓｉｎ    ・・・（２）
【００５６】
一方、プローブヘッド１ａから射出される光を反射率α’の反射板で反射させ、反射光を分光および検出することによって取得された反射光の信号強度（反射スペクトル）は、下式（２’）で表される。
α’γＬ１σ１Ｉ＋α’βγＬ２σ２Ｉ＋α’γＬ３σ２Ｉ    ・・・（２’）
【００５７】
式（１）に従って観測スペクトルから反射スペクトルを減算すると、下式（３）が得られる。
αγＬ１σ１Ｉ＋αβγＬ２σ２Ｉ＋αγＬ３σ２Ｉ＋Ｓｉｎ
−Ａ×（α’γＬ１σ１Ｉ＋α’βγＬ２σ２Ｉ＋α’γＬ３σ２Ｉ）
＝（α−Ａα’）γＬ１σ１Ｉ＋（α−Ａα’）βγＬ２σ２Ｉ
＋（α−Ａα’）γＬ３σ２Ｉ＋Ｓｉｎ    ・・・（３）
【００５８】
ここで、観察対象Ｓが結合組織や弾性組織等の間質や細胞などで構成される生体組織である場合、生体組織のラマンバンドの多くは７００ｃｍ−１よりも長波長側に現れ、７００ｃｍ−１よりも短波長側のラマンバンドは少なく強度も弱い。ここで、第１の照明ファイバ６１がフッ化プラスチックファイバである場合には、フッ化プラスチックのＣ−Ｆ結合のラマンバンドＦＰはラマンシフトが６９２ｃｍ−１に位置し、生体組織のラマンバンドとは重畳しない。また、第１の照明ファイバがポリメタクリル酸メチル（ＰＭＭＡ）製である場合には、ポリメタクリル酸メチルのＣ−ＣＯＯ結合のラマンバンドはラマンシフトが６０２ｃｍ−１に位置し、生体組織のラマンバンドとは重畳しない。またさらに、第１の照明ファイバが単結晶サファイアの場合には、サファイアのラマンバンドはラマンシフトが６４６ｃｍ−１に位置し、生体組織のラマンバンドとは重畳しない。
【００５９】
ここでステップＳ３〜Ｓ６の計算において、第１の照明ファイバ６１のラマンバンドとして、フッ化プラスチックの６９２ｃｍ−１のラマンバンド、ＰＭＭＡの６０２ｃｍ−１のラマンバンド、または単結晶サファイアの６４６ｃｍ−１のラマンバンドを参照して、当該ラマンバンドの強度がノイズレベルとなるような係数Ａを決定するということは、式（２）においてα−Ａα’≒０となる係数Ａを決定することを意味し、またこの条件においては式（３）におけるβγＬ２σ２ＩおよびγＬ３σ２Ｉの項も同時に消去される。これにより、第１の照明ファイバ６１のラマンスペクトルのみならず、シリカ製の第２の照明ファイバ６２および集光ファイバ７のラマンスペクトルも除去され、観察対象Ｓのラマン散乱光Ｓｉｎのみを得ることができる。
【００６０】
ファイバ構成材のシリカ由来のラマンバンドは、図８においてＳｉバンドと図示されるように、７８０ｃｍ−１から８６０ｃｍ−１と、１０２０ｃｍ−１から１１００ｃｍ−１と、１１２０ｃｍ−１から１２５０ｃｍ−１のブロードなラマンバンドとして現れる。したがって、生体組織由来のラマンバンドは、シリカのラマンバンドと同一のラマンシフト領域に現れて互いに重なり合う。例えば、結合組織中のコラーゲンのラマンバンドは、８１５ｃｍ−１、８５５ｃｍ−１、８８０ｃｍ−１、９２０ｃｍ−１、９４０ｃｍ−１、１０００ｃｍ−１から１１００ｃｍ−１、１２３０ｃｍ−１から１３００ｃｍ−１にピークを有するために、シリカのラマンバンドと重畳することになる。
【００６１】
このような場合、仮に第１の照明ファイバ６１、第２の照明ファイバ６２、および集光ファイバ７の全てがシリカ製の光ファイバであるとすると、生体組織のラマン散乱光Ｓｉｎと、式（２）の第１項と第２項と第３項の和であるαγＬ１σ１Ｉ＋αβγＬ２σ２Ｉ＋αγＬ３σ２Ｉは、ラマンシフトによっては互いに重畳してしまうため、生体組織のラマン散乱光と各シリカファイバ由来のラマン散乱光との分離が困難となる。このように、シリカのラマンバンド強度に基づいて照明ファイバ６１，６２、および集光ファイバ７のラマンスペクトルを精度良く除去することは必ずしも容易でなく、十分な精度を得るためには最適化アルゴリズムなど実行時間を要する。
【００６２】
これに対し、本実施形態によれば、生体組織由来のラマンバンドとは重ならない第１の照明ファイバ６１由来のラマンバンドを参照することによって、全ての光ファイバ６１，６２，７のラマンスペクトルを同時に除去することができ、観察対象Ｓのラマンスペクトルを簡単なアルゴリズムによって精度良く算出することができる。
【符号の説明】
【００６３】
１  ラマンプローブ
２  レーザ光源
３  分光器（検出部）
５  光検出器（検出部）
６１  第１の照明ファイバ
６２  第２の照明ファイバ
７  集光ファイバ
８  結合光学系
９  光学フィルタ
１２  記憶部
１３  演算部
１００  ラマンスペクトル測定装置
Ｓ  観察対象
【図１】
2018116363.tif 000003
【図２】
2018116363.tif 000004
【図３】
2018116363.tif 000005
【図４】
2018116363.tif 000006
【図５】
2018116363.tif 000007
【図６】
2018116363.tif 000008
【図７】
2018116363.tif 000009
【図８】
2018116363.tif 000010
【図９】
2018116363.tif 000011
【図１０】
2018116363.tif 000012
【図１１】
2018116363.tif 000013
【図１２】
2018116363.tif 000014
【図１３】
2018116363.tif 000015
【図１４】
2018116363.tif 000016
【図１５】
2018116363.tif 000017
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
レーザ光源からのレーザ光を導光して観察対象に向けて射出するとともに前記レーザ光によって励起された前記観察対象のラマン散乱光を受光するラマンプローブを備え、
前記ラマンプローブが、
前記レーザ光源から入射された前記レーザ光を導光する第１の照明ファイバと、
該第１の照明ファイバと直列に配列され、前記レーザ光を含む前記第１の照明ファイバから射出された光を導光し前記観察対象に向けて射出する第２の照明ファイバと、
前記第１の照明ファイバと前記第２の照明ファイバとを光学的に結合する結合光学系と、
前記第１の照明ファイバと前記第２の照明ファイバとの間に配置され、前記第１の照明ファイバから射出された光のうち、前記レーザ光を含む所定の波長以下の波長を有する光を透過させ、前記所定の波長よりも長い波長を有する光を遮断する光学フィルタと、
前記観察対象のラマン散乱光を含む前記観察対象からの光を集める集光ファイバとを備え、
前記第１の照明ファイバおよび前記第２の照明ファイバが、互いに異なる材質からなり、
前記第２の照明ファイバおよび前記集光ファイバが、互いに同一の材質からなり、
前記光学フィルタは、前記レーザ光によって励起される前記第１の照明ファイバのラマン散乱光の内、ラマンシフト量が前記観察対象のラマンスペクトルの所定のラマンシフト量よりも小さいラマン散乱光を透過させ、
前記第１の照明ファイバに前記レーザ光を供給するレーザ光源と、
前記集光ファイバによって集められた光を検出して、前記観察対象のラマンスペクトルを含む観測スペクトルのデータを取得する検出部と、
前記第２の照明ファイバから射出された光の反射光を前記集光ファイバによって集めて前記検出部によって検出することで取得された前記ラマンプローブの反射スペクトルを記憶する記憶部と、
前記観察対象由来のラマンバンドとは異なるラマンシフト領域に現れる前記第１の照明ファイバ由来のラマンバンドの強度を参照することにより、前記光学フィルタを透過した前記第１の照明ファイバのラマン散乱光のバンドの強度が所定の閾値以下となるように反射スペクトルにかける係数を決定し、前記観測スペクトルから前記係数を掛けた前記反射スペクトルを引き算する演算部と、を備えるラマンスペクトル測定装置。
【請求項２】
前記光学フィルタは、前記第１の照明ファイバのラマン散乱光の内、ラマンシフト量が７００ｃｍ−１以下であるラマン散乱光を透過させ、ラマンシフト量が８００ｃｍ−１以上であるラマン散乱光を遮断する請求項１に記載のラマンスペクトル測定装置。
【請求項３】
前記第１の照明ファイバの材質が、フッ化プラスチックであり、
前記第２の照明ファイバおよび前記集光ファイバの材質が、シリカである請求項１または請求項２に記載のラマンスペクトル測定装置。
【請求項４】
前記第１の照明ファイバの材質が、アクリル樹脂であり、
前記第２の照明ファイバおよび前記集光ファイバの材質が、シリカである請求項１または請求項２に記載のラマンスペクトル測定装置。
【請求項５】
前記第１の照明ファイバの材質が、単結晶サファイアであり、
前記第２の照明ファイバおよび前記集光ファイバの材質が、シリカである請求項１または請求項２に記載のラマンスペクトル測定装置。
【国際調査報告】
2018116363.tif 000018
2018116363.tif 000019
2018116363.tif 000020
2018116363.tif 000021